(57)【要約】【課題】車両が目的地に到着し、視聴者が視聴途中で車両から降りる場合、車両から目的地移動などの時間に視聴ができなかった番組を目的地で継続して視聴できる情報記録システムを提供する。【解決手段】  情報記録システム１００は、狭帯域無線装置１１,２１により自車が目的地に接近したことが検出された場合、記録開始コマンド出力装置１２が狭帯域無線装置１１からの車両位置信号、記録再生装置１３からの番組途中信号、および入力されるイグニッション信号（ＩＧ）に基づいて、記録開始コマンドを生成し、記録再生装置２２へ送信する。記録再生装置２２が記録開始コマンドを受信し、自動で視聴中の番組を記録する。これにより、車両が目的地に到着した後、目的地にある記録再生装置２２が自動的に視聴中の番組を記録することができ、視聴者は車両から目的地移動などの時間に視聴ができなかった番組を目的地で継続して視聴することができる。【選択図】        図１
2005156168.tif 000002
【特許請求の範囲】
【請求項１】
車両が目的地に接近したことを検出し、車両位置信号を出力する車両位置検出手段と、
上記車両に配置され、受信中の番組がある場合に番組途中信号を出力する機能を有する第１の情報受信手段と、
記録開始コマンドを無線通信により出力するコマンド出力手段と、
目的地に配置され、記録再生機能を有する第２の情報受信手段とを備え、
上記車両が目的地に到着する時、上記第１の情報受信手段で視聴する番組が視聴途中である場合に、
上記コマンド出力手段は、上記車両位置検出手段からの車両位置信号、上記第１の情報受信手段からの番組途中信号、および入力されるイグニッション信号に基づいて、記録開始コマンドを上記第２の情報受信手段へ送信し、
上記第２の情報受信手段は、上記記録開始コマンドを受信し、上記視聴中の番組を記録する
ことを特徴とする情報記録システム。
【請求項２】
上記車両位置検出手段は、車両および目的地に配置される一対の狭帯域無線装置である
ことを特徴とする請求項１に記載の情報記録システム。
【請求項３】
上記車両位置検出手段は、自車と設定された目的地との距離を算出することが可能なナビゲーション装置である
ことを特徴とする請求項１に記載の情報記録システム。
【請求項４】
上記第２の情報受信手段は、上記狭帯域無線装置を介して上記記録開始コマンドを受信する
ことを特徴とする請求項２に記載の情報記録システム。
【請求項５】
上記第１の情報受信手段は、記録再生機能を有し、
上記イグニッション信号が入力される場合、上記視聴中の番組を記録する
ことを特徴とする請求項２に記載の情報記録システム。
【請求項６】
上記第１または第２の情報受信手段は、上記狭帯域無線装置を介して記録されたデータを相手側に送信する
ことを特徴とする請求項１に記載の情報記録システム。
【請求項７】
ネットワーク通信手段をさらに有し、
上記上記第１または第２の情報受信手段に記録されたデータを、上記ネットワーク通信手段を介して希望の場所へ送信する
ことを特徴とする請求項１に記載の情報記録システム。
【発明の詳細な説明】
【技術分野】
【０００１】
この発明は、目的地に到着するとき、視聴中の番組を目的地にある記録装置で自動的に記録させる情報記録システムに関する。詳しくは、車両位置検出手段により自車が目的地に接近したことが検出された場合、コマンド出力手段が車両位置検出手段からの車両位置信号、第１の情報受信手段からの番組が途中である信号、および入力されるイグニッション信号に基づいて、無線通信により記録開始コマンドを出力し、第２の記録装置が記録開始コマンドを受信し、自動で視聴中の番組を記録する構成とすることによって、車両が目的地に到着し、視聴者が視聴途中で車両から降りる場合、車両から目的地移動などの時間に視聴ができなかった番組を目的地で継続して視聴できるようにした情報記録システムに係るものである。
【背景技術】
【０００２】
従来、記録機能を有する車載用のテレビ（テレビジョン）受信機やナビゲーション装置が急速に普及してきている。車載用テレビ受信機においては、ＥＰＧ（Electronic Program Guide:電子番組ガイド）による番組選択機能を持つ。ＥＰＧは、電子的なテレビ番組表であるＥＰＧデータを本来の番組の情報とは別に送信し、視聴者はこのデータをもとにカーソル移動などにより、所望の番組を選択したり予約したりすることができる。このような車載用テレビ受信機を利用して車内で所望の番組を視聴することができる。
【０００３】
また、適切なタイミングで家電製品を動作させることができる家電制御システムおよびナビゲーション装置が提案されている（例えば、特許文献１参照）
この場合、車載用ナビゲーション装置は、動作指示手段によって車外に設置された家電製品に対してナビゲーション動作に連動した動作指示を与え、この動作指示を送信手段によって家電製品に向けて送信している。そして、家電制御装置は車載用のナビゲーション装置から送信された動作指示を受信手段によって受信し、この動作指示に応じて動作状態制御手段によって家電製品の動作状態を制御している。ナビゲーション装置による自車位置の検出結果等を考慮した動作指示を与えることにより、適切なタイミングで家電製品の動作状態を制御することができる。
【０００４】
例えば、ナビゲーションコントローラは、経路探索を行った結果に基づいて目的地への到着予定時刻を算出する。次に、算出された到着予定時刻に対応して、家庭用システム内のエアコン等の動作状態を所望の時刻に制御するための動作指示データがナビゲーションコントローラ内の家庭用システム動作設定部によって作成され、移動体電話、公そう電話網を介して家庭用システムに送信される。動作指示データを受け取った動作状態制御ユニットは、その内容に基づいてエアコン等の動作状態を制御する。
【０００５】
【特許文献１】特開２００１−２６４０７７号公報（第２頁、第１図）
【発明の開示】
【発明が解決しようとする課題】
【０００６】
しかし、上述した車載用テレビ受信機を利用して車内で所望の番組を視聴することができるが、車内で視聴途中の番組は、ユーザが車両を降りる状況に至った場合、その番組の続きをどこかで視聴する手段がなかった。
【０００７】
また、特許文献１の場合、経路探索を行った結果に基づいて目的地への到着予定時刻を算出するため、到着予定時刻のみに関連して、予定時刻になったとき、家電が電源オンになる。番組が途中でない場合でも、録画をしてしまう問題があった。また、ユーザ自身がコマンド入力をしなければならず、煩わしさがある。
【０００８】
そこで、この発明は、車両が目的地に到着し、視聴者が視聴途中で車両から降りる場合、車両から目的地移動などの時間に視聴ができなかった番組を目的地で継続して視聴できるようにした情報記録システムを提供することを目的とする。
【課題を解決するための手段】
【０００９】
この発明に係る情報記録システムは、車両が目的地に接近したことを検出し、車両位置信号を出力する車両位置検出手段と、車両に配置され、受信中の番組がある場合に番組途中信号を出力する機能を有する第１の情報受信手段と、記録開始コマンドを無線通信により出力するコマンド出力手段と、目的地に配置され、記録再生機能を有する第２の情報受信手段とを備え、車両が目的地に到着する時、第１の情報受信手段で視聴する番組が視聴途中である場合に、コマンド出力手段は、車両位置検出手段からの車両位置信号、第１の情報受信手段からの番組途中信号、および入力されるイグニッション信号に基づいて、記録開始コマンドを上記第２の情報受信手段へ送信し、第２の情報受信手段は、記録開始コマンドを受信し、視聴中の番組を記録するものである。
【００１０】
例えば、車両位置検出手段は、車両および目的地に配置される一対の狭帯域無線装置である。また、車両位置検出手段は、自車と設定された目的地との距離を算出することが可能なナビゲーション装置である。
【００１１】
また例えば、ネットワーク通信手段をさらに有し、第１の情報受信手段または第２の受信手段で記録されたデータは、ネットワーク通信手段を介して希望の場所へ送信するようになされる。
【００１２】
この発明においては、車両が目的地に近づいた時、車両位置検出手段により自車が目的地に接近したことを検出し、車両位置信号がコマンド出力手段に入力される。コマンド出力手段は車両位置検出手段からの車両位置信号、第１の情報受信手段からの番組途中信号、および入力されるイグニッション信号に基づいて、無線通信により記録開始コマンドを生成し第２の情報受信装置へ出力する。目的地にある第２の情報受信装置は、コマンド出力手段からの記録開始コマンドを受信し、自動で視聴中の番組を記録するようになされる。
【００１３】
これにより、車両が目的地に到着し、視聴者が番組の視聴途中で車両から降りる場合、目的地にある第２の情報受信装置が自動的に視聴中の番組を記録することができ、視聴者は車両から目的地移動などの時間に視聴ができなかった番組を目的地で継続して視聴することが可能となる。
【００１４】
また、目的地に到着した後、視聴者は車両から目的地移動などの時間に視聴ができなかった番組を車内に搭載された第１の情報受信手段により自動的に記録し、視聴者は別の時間で視聴することが可能となる。
【００１５】
また、狭帯域無線通信により車両と目的地に設置された第１、第２の情報受信手段に記録されたデータを共有することが可能となる。また、第１の情報受信手段または第２の受信手段で記録されたデータは、ネットワーク通信手段を介して希望の場所へ送信することで、視聴者は異なる場所で番組を視聴することが可能となる。
【発明の効果】
【００１６】
この発明によれば、情報記録システムにおいて、車両位置検出手段により自車が目的地に接近したことが検出された場合、コマンド出力手段は車両位置検出手段からの車両位置信号、第１の情報受信手段からの番組途中信号、および入力されるイグニッション信号に基づいて、記録開始コマンドを第２の情報受信手段へ送信し、第２の情報受信手段は記録開始コマンドを受信し、自動で視聴中の番組を記録するものであり、車両が目的地に到着し、視聴者が視聴途中で車両から降りる場合、目的地にある第２の情報受信手段が自動的に視聴中の番組を記録することができ、視聴者は車両から目的地移動などの時間に視聴ができなかった番組を目的地で継続して視聴することができる。
【発明を実施するための最良の形態】
【００１７】
以下、図面を参照しながら、この発明の第１の実施の形態の情報記録システムについて説明する。
図１は、本発明の第１の実施の形態の情報記録システム１００の構成を示す図である。図１に示すように、情報記録システム１００は、車載部１０と、目的地配置部２０とから構成されている。
【００１８】
車載部１０には、車両位置検出手段としての狭帯域無線装置１１と、コマンド出力手段としての記録開始コマンド出力装置１２と、第１の情報受信手段としての記録再生装置１３とを有し、目的地に配置部２０には、狭帯域無線装置２１と、第２の情報受信手段としての記録再生装置２２とを有する。
【００１９】
狭帯域無線装置１１は、基本キャリア（伝送波）の上に信号を載せて運ぶ形式で、信号に応じて狭い範囲（帯域）に変調する無線通信装置である。狭帯域無線装置１１は、所定距離で目的地に配置される狭帯域無線装置２１と通信することが可能とされる。これにより、車両が目的地に接近したことを検出するようになされる。また、この狭帯域無線装置１１は、目的地に配置される狭帯域無線装置２１とデータ通信を行うことが可能とされる。
【００２０】
記録開始コマンド出力装置１２は、狭帯域無線装置１１により出力される車両位置信号、記録再生装置１３からの番組が途中である信号（番組途中検出信号）、および入力されるイグニッション信号（ＩＧ）に基づいて、記録開始コマンドを生成し出力するものである。
【００２１】
この記録開始コマンド出力装置１２は、例えば専用の無線送信手段を有し、狭帯域無線装置１１から車両が目的地に近づいた車両位置信号が入力されると、記録待機信号を生成し、生成された記録待機信号を目的地にある記録再生装置２２へ送信する。また、この記録開始コマンド出力装置１２は、狭帯域無線装置１１からの車両位置信号、記録再生装置１３からの番組途中信号、および入力されるイグニッション信号に基づいて、記録開始コマンドを生成し、目的地にある記録再生装置２２へ送信するようになされる。ここで、イグニッション信号は、例えば車両のエンジン停止する際に発生した信号である。
【００２２】
記録再生装置１３は、車内に配置され、ＥＰＧ（Electronic Program Guide:電子番組ガイド）による番組選択機能をする情報受信装置である。この記録再生装置１３は、視聴の番組の終了時間を知ることが可能である。また、記録再生装置１３は、イグニッション信号が入力されると、自動的に車内で視聴中の番組の記録を行うようになされる。さらに、記録再生装置１３は、狭帯域無線装置１１,２１を介して記録されたデータを記録再生装置２２へ送信することができる。
【００２３】
狭帯域無線装置２１は、目的地に配置され、狭帯域無線装置１１と通信可能な無線通信装置である。この狭帯域無線装置２１は、狭帯域無線装置１１と共に車両が目的地に接近したことを検出するようになされる。また、この狭帯域無線装置２１は、車内に配置される狭帯域無線装置１１とデータ通信を行うことが可能とされる。
【００２４】
記録再生装置２２は、目的地に配置され、ＥＰＧによる番組選択機能をする情報受信装置である。この記録再生装置２２は、無線通信により送信された記録待機信号および記録開始コマンド信号を受信することができる。記録開始コマンド信号を受信すると、自動的に車内で視聴中の番組を選択し、記録を開始するようになされる。また、記録再生装置１３は、狭帯域無線装置１１,２１を介して記録されたデータを記録再生装置１３へ送信することができる。
【００２５】
続いて、図面を参照しながら、本発明に係る情報記録システム１００の動作例を説明する。
図２は、記録信号送信側の動作例を示すフローチャートである。図２に示すように、情報記録システム１００において、まず、ステップＳ１１で、目的地に接近したか否かを判断する。ここで、車両が目的地に近づくとき、狭帯域無線装置１１,２１間の通信により車両が目的地に接近したことを検出する。
【００２６】
ステップＳ１１で、目的地に接近したと判断された場合、ステップＳ１２で、記録待機信号を出力する。ここで、記録開始コマンド出力装置１２は、狭帯域無線装置１１から車両が目的地に接近した車両位置信号が入力されると、記録待機信号を生成し、生成された記録待機信号を目的地にある記録再生装置２２へ送信する。記録再生装置２２は、記録待機信号を受信すると待機状態になる。
【００２７】
次に、ステップＳ１３で、番組は途中であるか否かを判断する。ここで、記録再生装置１３から番組が途中である信号が入力される場合、番組は途中であると判断する。番組は途中でないと判断された場合、動作を終了する。また、ステップＳ１３で、番組は途中であると判断された場合、ステップＳ１４へ進む。
【００２８】
ステップＳ１４で、イグニッション信号が入力されたか否かを判断する。ここで、イグニッション信号が入力されていないと判断された場合、ステップＳ１３に戻り、上述したステップＳ１３、ステップＳ１４の動作を繰り返す。なお、イグニッション信号が入力された（ＩＧ＝ＯＦＦ）と判断された場合、ステップＳ１５へ進む。
【００２９】
次に、ステップＳ１５で、記録開始信号（記録開始コマンド）を出力する。この場合、記録開始コマンド出力装置１２は、狭帯域無線装置１１からの車両位置信号、記録再生装置１３からの番組途中信号、および入力されるイグニッション信号に基づいて、記録開始コマンドを生成し、無線通信により目的地にある記録再生装置２２へ送信する。
【００３０】
図３は、記録信号受信側の動作例を示すフローチャートである。図３に示すように、情報記録システム１００において、まず、ステップＳ２１で、記録待機信号が入力されたか否かを判断する。ここで、例えば、記録開始コマンド出力装置１２は、狭帯域無線装置１１から車両が目的地に接近したことを示す車両位置信号が入力されると、記録待機信号を生成し、生成された記録待機信号を目的地にある記録再生装置２２へ送信する。記録再生装置２２は、この記録待機信号を受信する。
【００３１】
ステップＳ２１で、記録待機信号が入力されたと判断された場合、次のステップＳ２２で、タイマーを起動する。そして、ステップＳ２３で、記録待機信号の入力から一定時間を経過したかを判断する。ここで、記録待機信号の入力から一定時間を経過したと判断された場合、動作を終了する。なお、記録待機信号の入力から一定時間を経過していないと判断された場合、次のステップＳ２４で、記録開始信号（記録開始コマンド）が入力されたか否かを判断する。
【００３２】
ステップＳ２４で、記録開始信号が入力されたと判断された場合、ステップＳ２５で、車内で視聴中の番組の記録を開始する。ここで、記録再生装置２２は、記録開始コマンドが入力されたとき、選択された番組（車内で視聴中の番組）を録画するようになされる。番組の記録が終了すると、記録信号受信側（目的地側）の動作を終了する。
【００３３】
図４は、車内で視聴中の番組を記録する際の動作例を示すフローチャートである。図４に示すように、情報記録システム１００において、まず、ステップＳ３１で、車両が目的地に接近したかを判断する。ここで、狭帯域無線装置１１,２１間の通信により車両が目的地に接近したことを検出する。
【００３４】
ステップＳ３１で車両が目的地に接近したと判断された場合、次のステップＳ３２で、番組は途中であるか否かを判断する。ここで、番組は途中ではないと判断された場合には、動作を終了する。なお、番組が途中であると判断された場合、次のステップＳ３３で、イグニッション信号が入力されたか否かを判断する。ここで、例えばイグニッション信号が入力された（ＩＧ＝ＯＦＦ）と判断された場合には、ステップＳ３４へ進む。なお、イグニッション信号が入力されていないと判断された場合、ステップＳ３２に戻り、上述したステップＳ３２の動作を繰り返す。
【００３５】
次に、ステップＳ３４で、車内で視聴中の番組の記録を開始する。ここで、記録再生装置１３は、イグニッション信号が入力されたとき、車内で視聴中の番組を録画するようになされる。番組の記録が終了すると、動作を終了する。
【００３６】
このように本実施の形態においては、情報記録システム１００は、狭帯域無線装置１１,２１により自車が目的地に接近したことが検出された場合、記録開始コマンド出力装置が狭帯域無線装置１１からの車両位置信号、記録再生装置１３からの番組途中信号、および入力されるイグニッション信号に基づいて、記録開始コマンドを生成し、記録再生装置２２へ送信する。記録再生装置２２が記録開始コマンドを受信すると、自動で視聴中の番組を記録する。これにより、車両が目的地に到着し、視聴者が視聴途中で車両から降りる場合、目的地にある記録再生装置２２が自動的に視聴中の番組を記録することができ、視聴者は車両から目的地移動などの時間に視聴ができなかった番組を目的地で継続して視聴することができる。
【００３７】
また、目的地に到着した後、視聴者は車両から目的地移動などの時間に視聴ができなかった番組を車内に搭載された記録再生装置１３により自動的に記録し、視聴者は別の時間で視聴することができる。
【００３８】
以下、図面を参照しながら、この発明の第２の実施の形態の情報記録システムについて説明する。
図５は、本発明の第２の実施の形態の情報記録システム２００の構成を示す図である。この図５において、図１と対応部分には、同一符号を付し、その詳細説明は省略する。
【００３９】
図５に示すように、情報記録システム２００は、車載部１０と、目的地配置部２０とから構成されている。車載部１０には、車両位置検出手段としてのナビゲーション装置１１Ａと、コマンド出力手段としての記録開始コマンド出力装置１２と、第１の情報受信手段としての記録再生装置１３とを有し、目的地に配置部２０には、第２の情報受信手段としての記録再生装置２２を有する。
【００４０】
ナビゲーション装置１１Ａは、ＧＰＳ（Global Positioning System）受信機を有するものである。このナビゲーション装置１１Ａは、自車と設定された目的地との距離を算出することができ、車両が目的地に予め設定された距離に接近したとき、車両位置信号を記録開始コマンド出力装置１２へ出力するようになされる。なお、このナビゲーション装置１１Ａは、車両が目的地に予め設定された距離に接近したとき、車両位置信号を記録再生装置１３へ出力するようになされる。
【００４１】
続いて、図２を参照しながら、本発明に係る情報記録システム２００の動作例を説明する。情報記録システム２００において、まず、ステップＳ１１で、目的地に接近したか否かを判断する。ここで、車両が目的地に近づくとき、ナビゲーション装置１１Ａは、自車と設定された目的地との距離を算出し、車両が目的地に接近したことを検出し、車両位置信号を記録開始コマンド出力装置１２へ出力する
ステップＳ１１で、目的地に接近したと判断された場合、ステップＳ１２で、記録待機信号を出力する。ここで、記録開始コマンド出力装置１２は、ナビゲーション装置１１Ａからの車両位置信号が入力されると、記録待機信号を生成し、生成された記録待機信号を目的地にある記録再生装置２２へ送信する。記録再生装置２２は、記録待機信号を受信すると待機状態になる。
【００４２】
次に、ステップＳ１３で、番組は途中であるか否かを判断する。ここで、記録再生装置１３から番組途中信号が入力される場合、番組は途中であると判断する。番組は途中でないと判断された場合、動作を終了する。また、番組は途中であると判断された場合、ステップＳ１４へ進む。
【００４３】
ステップＳ１４で、イグニッション信号が入力されたか否かを判断する。ここで、例えばイグニッション信号が入力された（ＩＧ＝ＯＦＦ）と判断された場合、ステップＳ１５へ進む。なお、イグニッション信号が入力されていないと判断された場合、ステップＳ１３に戻り、上述したステップＳ１３、ステップＳ１４の動作を繰り返す。
【００４４】
次に、ステップＳ１５で、記録開始信号を出力する。この場合、記録開始コマンド出力装置１２は、ナビゲーション装置１１Ａからの車両位置信号、記録再生装置１３からの番組途中信号、および入力されるイグニッション信号に基づいて、記録開始コマンドを生成し、無線通信により目的地にある記録再生装置２２へ送信する。
【００４５】
また、目的地では、上述したように、記録再生装置２２は、記録開始コマンドが入力されたとき、選択された番組（車内で視聴中の番組）を録画するようになされる。
【００４６】
また、車内でデータを記録する場合の動作は、上述した図４と同様に行う。この場合、車両が目的地に接近したことがナビゲーション装置１１Ａにより検出される。そして、車両位置信号が記録開始コマンド出力装置１２へ出力される。
【００４７】
このように本実施の形態においては、情報記録システム２００は、ナビゲーション装置１１Ａにより自車が目的地に接近したことが検出された場合、記録開始コマンド出力装置１２がナビゲーション装置１１Ａからの車両位置信号、記録再生装置１３からの番組途中信号、および入力されるイグニッション信号に基づいて、記録開始コマンドを生成し、記録再生装置２２へ送信する。記録再生装置２２が記録開始コマンドを受信すると、自動で視聴中の番組を記録する。これにより、車両が目的地に到着し、視聴者が番組の視聴途中で車両から降りる場合、目的地にある記録再生装置２２が自動的に視聴中の番組を記録することができ、視聴者は車両から目的地移動などの時間に視聴ができなかった番組を目的地で継続して視聴することができる。
【００４８】
また、目的地に到着した後、視聴者は車両から目的地移動などの時間に視聴ができなかった番組を車内に搭載された記録再生装置１３により自動的に記録し、視聴者は別の時間で視聴することができる。
【００４９】
以下、図面を参照しながら、この発明の第３の実施の形態の情報記録システムについて説明する。
図６は、本発明の第３の実施の形態の情報記録システム３００の構成を示す図である。この図６において、図１と対応部分には、同一符号を付し、その詳細説明は省略する。
【００５０】
図６に示すように、情報記録システム３００は、車両位置検出手段としての狭帯域無線装置１１と、コマンド出力手段としての記録開始コマンド出力装置１２と、第１の情報受信手段としての記録再生装置１３と、目的地に配置される狭帯域無線装置２１と、第２の情報受信手段としての記録再生装置２２と、ネットワーク１４と、サーバ１５、記録再生装置１６とから構成されている。
【００５１】
記録再生装置１３は、車内に配置され、ＥＰＧによる番組選択機能をする情報受信装置である。この記録再生装置１３は、イグニッション信号が入力されると、自動的に車内で視聴中の番組の記録を行うようになされる。また、この記録再生装置１３は、狭帯域無線装置１１,２１を介して記録されたデータを記録再生装置２２へ送信することができる。さらに、この記録再生装置１３は、インターネットに接続するためのインタフェースを有し、このインタフェースを介して接続されたネットワーク上のサーバを介して記録されたデータを他の場所にある記録再生装置へ送信することができる。
【００５２】
ネットワーク１４は、例えばインターネットである。また、サーバ１５はインターネット上に接続されるサーバである。また、記録再生装置１６はインターネットに接続されている他の場所の記録再生装置である。
【００５３】
記録再生装置２２は、目的地に配置され、ＥＰＧによる番組選択機能をする情報受信装置である。この記録再生装置２２は、無線通信により送信された記録待機信号および記録開始コマンド信号を受信することができる。記録開始コマンド信号を受信すると、自動的に車内で視聴中の番組を選択し、記録を開始するようになされる。また、記録再生装置１３は、狭帯域無線装置１１,２１を介して記録されたデータを記録再生装置１３へ送信することができる。さらに、この記録再生装置２２は、インターネットに接続するためのインタフェースを有し、このインタフェースを介して接続されたネットワーク上のサーバを介して記録されたデータを他の場所にある記録再生装置へ送信することができる。
【００５４】
このように本実施の形態においては、記録再生装置１３または記録再生装置２２にネットワーク１４と接続するためのインタフェースを有し、記録再生装置１３または記録再生装置２２に記録されたデータ（例えば番組内容）をインターネットを介して他の場所にある記録再生装置１６に送信することができる。これにより、視聴者は異なる場所で記録した番組を視聴することができる。
【００５５】
なお、上述実施の形態においては、記録開始コマンド出力装置１２は記録開始コマンドを送信するための専用無線送信手段を有するとしたが、これに限定されるものではない。例えば、狭帯域無線装置１１を利用して記録開始コマンドを送信するようにしてもよい。
【００５６】
また、上述実施の形態においては、目的地にある記録再生装置２２を自動的に記録開始させるものであるが、これに限定されるものではない。他の家庭用電気製品の場合にも、この発明を適用できる。
【００５７】
また、上述実施の形態においては、狭帯域無線装置１１,２１またはナビゲーション装置１１Ａを用いて車両が目的地に接近したことを検出するものであるが、これに限定されるものではない。他の検出方法で車両が目的地に接近したことを検出するようにしてもよい。
【産業上の利用可能性】
【００５８】
以上のように、この発明に係る情報記録システムは、目的地に到着し、車内で視聴中の番組が途中である場合、視聴者が車両から目的地移動などの時間に視聴ができなかった番組を目的地で継続して視聴する目的に利用できる。
【図面の簡単な説明】
【００５９】
【図１】第１の実施の形態の情報記録システムの構成例を示す図である。
【図２】記録開始信号送信側の動作例を示すフローチャートである。
【図３】記録開始信号受信側の動作例を示すフローチャートである。
【図４】車内で視聴中の番組を記録する際の動作例を示すフローチャートである。
【図５】第２の実施の形態の情報記録システムの構成例を示す図である。データ状態例を示す図である。
【図６】第３の実施の形態の情報記録システムの構成例を示す図である。
【符号の説明】
【００６０】
１０・・・車載部、１１,２１・・・狭帯域無線装置、１１Ａ・・・ナビゲーション装置、１２・・・記録開始コマンド出力装置、１３,１６,２２・・・記録再生装置、１４・・・インターネット、１５・・・サーバ、２０・・・目的地に配置部、１００,２００,３００・・・情報記録システム、
【図１】
2005156168.tif 000003
【図２】
2005156168.tif 000004
【図３】
2005156168.tif 000005
【図４】
2005156168.tif 000006
【図５】
2005156168.tif 000007
【図６】
2005156168.tif 000008